【手続補正書】
【提出日】平成17年9月28日(2005.9.28)
【手続補正１】
【補正対象書類名】明細書
【補正対象項目名】発明の名称
【補正方法】変更
【補正の内容】
【発明の名称】放射線検査装置及び放射線検査方法
【手続補正２】
【補正対象書類名】明細書
【補正対象項目名】特許請求の範囲
【補正方法】変更
【補正の内容】
【特許請求の範囲】
【請求項１】
ベッドの周囲を移動してＸ線を放射するＸ線源と、前記ベッドの長手方向に複数の放射線検出器が配置されて前記ベッドの周囲に位置し、γ線の検出信号を出力するγ線検出部と、Ｘ線の検出信号を出力するＸ線検出部とを備え、
前記Ｘ線検出部の少なくとも一部は、前記ベッドの長手方向において前記γ線検出部の一端と前記γ線検出部の他端との間に形成される領域に位置しており、
前記Ｘ線源を前記長手方向に移動させるＸ線源移動装置を備えたことを特徴とする放射線検査装置。
【請求項２】
ベッドの周囲を移動してＸ線を放出するＸ線源と、
前記ベッドの長手方向に複数の放射線検出器が配置されて前記ベッドの周囲に位置し、γ線を検出してそのγ線の検出信号を出力するγ線検出部と、
前記γ線を検出する位置で、前記Ｘ線を検出してそのＸ線の検出信号を出力するＸ線検出部と、
前記Ｘ線源を前記長手方向に移動させるＸ線源移動装置とを備えたことを特徴とする放射線検査装置。
【請求項３】
前記γ線検出部及び前記Ｘ線検出部は、一体となって、前記γ線検出部であり前記Ｘ線検出部である放射線検出部を構成し、前記放射線検出部は前記γ線検出信号及び前記Ｘ線検出信号の両方を出力する複数の前記放射線検出器で構成される請求項１または請求項２に記載の放射線検査装置。
【請求項４】
被検体にＸ線を照射するＸ線源と、
前記Ｘ線源から照射されて前記被検体を透過するＸ線を検出し、このＸ線の検出信号を出力するＸ線検出部と、
前記Ｘ線を照射している前記被検体の位置で前記被検体から放出されるγ線を検出し、このγ線の検出信号を出力するγ線検出部と、
前記Ｘ線源を前記長手方向に移動させるＸ線源移動装置とを備えたことを特徴とする放射線検査装置。
【請求項５】
被検体を乗せるベットと、前記ベットの長手方向と略平行方向に配置されてその長手方向に間隔をおいて複数の間隙が形成され、γ線の検出信号を出力するγ線検出部と、Ｘ線の検出信号を出力するＸ線検出部と、前記間隙を通して前記被検体に前記Ｘ線を照射するＸ線源と、前記Ｘ線源を前記長手方向に移動させるＸ線源移動装置とを有することを特徴とする放射線検査装置。
【請求項６】
前記γ線検出部は複数の放射線検出器を含んでおり、前記間隙は前記放射線検出器間に形成されている請求項５記載の放射線検査装置。
【請求項７】
前記Ｘ線源移動装置を前記長手方向に案内する第１のガイド装置と、前記Ｘ線源移動装置を前記ベッドの周囲で前記長手方向と交差する方向にガイドする第２のガイド装置とを備えた請求項５記載の放射線検査装置。
【請求項８】
前記γ線検出部は前記ベッドの周囲に配置され、前記Ｘ線検出部は、前記γ線検出部の外側に配置され、前記γ線検出部に形成された間隙を通過する前記Ｘ線を検出する請求項５記載の放射線検査装置。
【請求項９】
前記γ線検出部は前記ベッドの周囲に配置され、前記Ｘ線検出部は、前記γ線検出部の内側に配置される請求項５記載の放射線検査装置。
【請求項１０】
被検体を乗せるベットと、γ線検出装置と、前記γ線検出装置に着脱自在に取り付けられたＸ線検出装置とを備え、
前記γ線検出装置は、前記ベットの長手方向と略平行方向に配置され、γ線の検出信号を出力するγ線検出部を有し、
前記Ｘ線検出装置は、Ｘ線の検出信号を出力するＸ線検出部と、前記γ線検出部に形成された間隙を通して前記被検体に前記Ｘ線を照射するＸ線源と、前記Ｘ線源を前記長手方向に移動させるＸ線源移動装置とを有することを特徴とする放射線検査装置。
【請求項１１】
前記γ線検出部及び前記Ｘ線検出部は、一体となって、前記γ線検出部であり前記Ｘ線検出部である放射線検出部を構成し、前記放射線検出部は前記γ線検出信号及び前記Ｘ線検出信号を出力する複数の放射線検出器で構成される請求項４，請求項５及び請求項１０のいずれか１項に記載の放射線検査装置。
【請求項１２】
被検体を乗せるベッドと、撮像装置と、制御装置とを備え、
前記撮像装置は、複数の第１放射線検出器を有し、前記ベッドの周囲に位置するγ線検出部と、複数の第２放射線検出器を有し、Ｘ線の検出信号を出力するＸ線検出部と、前記被検体にＸ線を放出するＸ線源と、前記Ｘ線源を、前記ベッドの周囲における周方向に移動させる第１Ｘ線源移動装置と、前記Ｘ線源を前記ベッドの長手方向に移動させる第２Ｘ線源移動装置を含んでおり、
前記制御装置は、複数の放射線検出器と電源とを接続して前記複数の放射線検出器に電圧を印加させ、前記放射線検出器への電圧印加時から設定時間が経過した時点で前記Ｘ線源からＸ線を放出させ、前記Ｘ線を放出した前記Ｘ線源を、前記第１Ｘ線源移動装置を用いて前記周方向に移動させ、前記Ｘ線源を、前記第２Ｘ線源移動装置を用いて前記軸方向に移動させる制御を行うことを特徴とする放射線検査装置。
【請求項１３】
それぞれの前記第１放射線検出器からのγ線の検出信号を入力し、第１情報を出力する第１信号処理装置と、前記第２放射線検出器からの前記Ｘ線の検出信号を入力して第２情報を出力し、前記第２放射線検出器毎に設けられた第２信号処理装置とを備えた請求項
１２記載の放射線検査装置。
【請求項１４】
前記γ線検出部及び前記Ｘ線検出部は、一体となって、前記γ線検出部であり前記Ｘ線検出部である放射線検出部を構成し、前記放射線検出部を構成する前記第１及び第２放射線検出器が前記γ線検出信号及び前記Ｘ線検出信号を出力する複数の放射線検出器である請求項１２記載の放射線検査装置。
【請求項１５】
前記γ線検出部及び前記Ｘ線検出部は別々に設けられており、前記γ線検出部は前記γ線検出信号を出力する複数の放射線検出器を有し、前記Ｘ線検出部は前記Ｘ線検出信号を出力する複数の放射線検出器を有する請求項１，請求項４，請求項７及び請求項１２のいずれかに１項に記載の放射線検査装置。
【請求項１６】
前記放射線検出器は半導体放射線検出器である請求項３，請求項６，請求項１１，請求項１４及び請求項１５のいずれか１項に記載の放射線検査装置。
【請求項１７】
被検体を乗せるベットと、前記被検体より放射されるγ線を検出する放射線検出器と、前記被検体にＸ線を照射するＸ線源と、前記放射線検出器から出力された前記γ線の検出信号及び前記Ｘ線の検出信号を入力する信号処理手段と、前記Ｘ線源を前記長手方向に移動させるＸ線源移動装置とを備えたことを特徴とする放射線検査装置。
【請求項１８】
前記γ線検出信号より得られた第１情報及び前記Ｘ線検出信号より得られた第２情報を用いて断層像情報を作成する断層像作成装置を備えた請求項１，請求項２，請求項３ないし請求項５，請求項１０ないし請求項１２，請求項１４，請求項１５及び請求項１７のいずれか１項に記載の放射線検査装置。
【請求項１９】
前記γ線検出信号より得られた第１情報を用いて第１断層像情報を作成し、前記Ｘ線検出信号より得られた第２情報を用いて第２断層像情報を作成し、及び前記第１断層像情報及び第２断層像情報を含む第３断層像情報を作成する断層像作成装置を備えた請求項１，請求項２，請求項３ないし請求項５，請求項１０ないし請求項１２，請求項１４，請求項１５及び請求項１７のいずれか１項に記載の放射線検査装置。
【請求項２０】
それぞれの前記放射線検出器からのγ線の検出信号を入力し、放射性薬剤が集積した部位を含む第１断層像情報の作成に用いられる第１情報を出力する第１信号処理装置と、前記放射線検出器からの前記Ｘ線の検出信号を入力して骨を含む第２断層像情報の作成に用いられる第２情報を出力し、前記放射線検出器毎に設けられる第２信号処理装置とを備えた請求項３，請求項１１及び請求項１４のいずれか１項に記載の放射線検査装置。
【請求項２１】
前記第１情報及び前記第２情報を用いて断層像情報を作成する断層像作成装置を備えた請求項２０記載の放射線検査装置。
【請求項２２】
前記第１信号処理装置は、
前記放射線検出器からの前記γ線検出信号を入力し、前記放射線検出器毎に設けたγ線検出信号処理装置と、
各前記γ線検出信号処理装置からのそれぞれの出力信号を入力し、前記第１情報である、設定時間内に前記γ線を検出した一対の前記放射線検出器のそれぞれの位置情報、及び検出された前記γ線の計数情報の各情報を出力する計数装置とを有し、
前記位置情報，前記計数情報及び前記第２情報を用いて断層像情報を作成する断層像作成装置とを備えた請求項２０記載の放射線検査装置。
【請求項２３】
放射性薬剤が投与された被検体を透過した前記Ｘ線を検出し、
前記Ｘ線を照射している前記被検体の位置で、前記被検体内の前記放射性薬剤に起因して放出されるγ線を検出し、
前記Ｘ線源をベッドの長手方向に移動させることを特徴とする放射線検査方法。
【請求項２４】
被検体内の放射性薬剤が集積した部位より放出されるγ線を検出し、前記被検体にＸ線を照射して前記部位を透過するＸ線を検出し、それらの放射線の検出の際には前記被検体はベットに載置されており、前記被検体が載置された前記ベッドが前記部位を透過する前記Ｘ線の検出している位置に存在する状態で、前記部位から放出される前記γ線を検出し、前記Ｘ線源をベッドの長手方向に移動させる放射線検査方法。
【請求項２５】
被検体内の放射性薬剤が集積した部位より放出されるγ線を検出し、前記被検体にＸ線を照射して前記部位を透過するＸ線を検出し、それらの放射線の検出の際には前記被検体はベットに載置されており、前記γ線は前記ベットの長手方向と略平行方向に並んで配置された複数の放射線検出器を含むγ線検出部により検出され、前記Ｘ線は前記γ線検出部に形成される間隙を通って前記被検体の前記部位に照射され、前記Ｘ線源をベッドの長手方向に移動させる放射線検査方法。
【請求項２６】
前記被検体の前記部位を透過したＸ線は前記γ線検出部に形成された間隙を通ってＸ線検出部によって検出される請求項２５記載の放射線検査方法。
【請求項２７】
被検体内の放射性薬剤が集積した部位より放出されるγ線を検出し、前記被検体にＸ線を照射して前記部位を透過するＸ線を検出し、それらの放射線の検出の際には前記被検体はベットに載置されており、前記γ線は前記ベットの長手方向と略平行方向に並んで配置された複数の放射線検出器を含むγ線検出部で検出され、前記Ｘ線は前記方向における前記γ線検出部の一端とその他端との間で前記被検体に照射され、前記Ｘ線源をベッドの長手方向に移動させる放射線検査方法。
【請求項２８】
被検体の断層像情報の作成に必要とするγ線の検出信号を得るための放射線検査期間内で前記被検体から放出されたγ線を検出し、前記放射線検査期間内で、前記被検体を透過したＸ線を検出することを特徴とする放射線検査方法。
【請求項２９】
前記放射線検査期間内の一部の期間で前記Ｘ線を検出する請求項２８記載の放射線検査方法。
【請求項３０】
放射線検査装置に設けられた複数の放射線検出器のうち、一部の前記放射線検出器が被検体を透過したＸ線を検出し、前記一部の放射線検出器が前記Ｘ線を検出しているとき、前記被検体から放出されたγ線を前記一部の放射線検出器以外の前記放射線検出器で検出し、前記Ｘ線源をベッドの長手方向に移動させることを特徴とする放射線検査方法。
【請求項３１】
被検体の断層像情報の作成に必要とするγ線の検出信号を得るための放射線検査期間内で被検体から放出されるγ線を検出し、前記γ線の検出信号をγ線検出信号処理装置に入力し、前記被検体を透過したＸ線を検出し、前記Ｘ線の検出信号をＸ線検出信号処理装置に入力し、前記γ線を検出している前記放射線検査期間内で前記Ｘ線検出信号を前記Ｘ線検出信号処理装置に入力することを特徴とする放射線検査方法。
【請求項３２】
放射線検査装置に設置された放射線検出器が被検体から放出されるγ線の検出信号を出力し、そのγ線の検出信号を出力している状態で、前記放射線検査装置に設置されたＸ線源から前記被検体にＸ線を照射し、前記被検体を透過したＸ線を前記放射線検査装置に設置された、前記γ線検出信号を出力している前記放射線検出器及び他の放射線検出器のいずれかで検出し、前記Ｘ線源をベッドの長手方向に移動させることを特徴とする放射線検査方法。
【請求項３３】
複数の放射線検出器，Ｘ線を放出するＸ線源、及び前記Ｘ線源を被検体の周囲に移動させるＸ線源移動装置を備えた放射線検査装置を用いて行う放射線検査方法であって、
電圧が印加された前記放射線検出器によって前記被検体から放出されるγ線を検出し、前記γ線の検出期間内の設定時点でＸ線源を制御してこのＸ線源からＸ線を放出し、前記Ｘ線を放出した前記Ｘ線源を、前記Ｘ線源移動装置を用いて前記被検体の周囲に移動させ、前記被検体を透過した前記Ｘ線をある前記放射線検出器で検出し、前記ある放射線検出器での前記Ｘ線の検出は他の前記放射線検出器で前記γ線が検出されているときに行われ、前記Ｘ線源をベッドの長手方向に移動させることを特徴とする放射線検査方法。
【請求項３４】
前記γ線の検出と前記Ｘ線の検出は共用の放射線検出器で検出する請求項２３，請求項２４，請求項２５，請求項２７ないし請求項２９，請求項３１及び請求項３３のいずれか１項に記載の放射線検査方法。
【請求項３５】
前記Ｘ線を検出する放射線検出器は、前記γ線を検出した放射線検出器を用いる請求項３４記載の放射線検査方法。
【請求項３６】
前記Ｘ線を検出する際に、前記Ｘ線を照射するＸ線源を前記被検体の周りで移動させる請求項２３，請求項２４，請求項２５及び請求項２７ないし請求項３４のいずれか１項に記載の放射線検出方法。
【請求項３７】
前記Ｘ線を放出するＸ線源をベットの長手方向に移動させる請求項２８または請求項
３１に記載の放射線検出方法。
【請求項３８】
前記γ線検出信号より得られた第１情報及び前記Ｘ線検出信号より得られた第２情報を用いて断層像情報を作成する請求項２３，請求項２４，請求項２５，請求項２７，請求項２８及び請求項３０のいずれか１項に記載の放射線検査方法。
【請求項３９】
前記γ線の検出信号により得られる第１情報を用いて第１断層像情報を生成し、前記Ｘ線の検出信号により得られる第２情報を用いて第２断層像情報を生成し、前記第１断層像情報及び第２断層像情報を含む前記被検体に対する第３断層像情報を作成する請求項２３ないし請求項３７のいずれか１項に記載の放射線検査方法。
【請求項４０】
前記γ線の検出信号をγ線検出信号処理装置に入力し、前記Ｘ線の検出信号をＸ線検出信号処理装置に入力する請求項２３，請求項２４，請求項２５，請求項２７，請求項２８及び請求項３１のいずれか１項に記載の放射線検査方法。
【請求項４１】
前記γ線検出部及び前記Ｘ線検出部が、別々に設けられている請求項１，請求項２，請求項４及び請求項１７のいずれか１項に記載の放射線検査装置。
【請求項４２】
前記γ線検出部γ線の検出信号を入力し、放射性薬剤が集積した部位を含む第１断層像情報の作成に用いられる第１情報を出力する第１信号処理装置と、前記Ｘ線検出部からの前記Ｘ線の検出信号を入力して骨を含む第２断層像情報の作成に用いられる第２情報を出力し、前記Ｘ線検出部の前記放射線検出器毎に設けられる第２信号処理装置とを備えた請求項４１に記載の放射線検査装置。
【請求項４３】
前記第１信号処理装置は、
前記γ線検出部に含まれた放射線検出器からの前記γ線検出信号を入力し、前記放射線検出器毎に設けたγ線検出信号処理装置と、
各前記γ線検出信号処理装置からのそれぞれの出力信号を入力し、前記第１情報である、設定時間内に前記γ線を検出した一対の前記放射線検出器のそれぞれの位置情報、及び検出された前記γ線の計数情報の各情報を出力する計数装置とを有し、
前記位置情報，前記計数情報及び前記第２情報を用いて断層像情報を作成する断層像作成装置とを備えた請求項４２記載の放射線検査装置。
【請求項４４】
前記γ線検出部は前記ベットの長手方向に間隔をおいて複数の間隙を有しており、前記Ｘ線源は、前記間隙を通して前記被検体に前記Ｘ線を照射できるように配置されており、前記Ｘ線検出部は、前記被検体を透過した前記Ｘ線を検出する請求項４３記載の放射線検査装置。
【請求項４５】
前記被検体を透過して前記間隙を通過した前記Ｘ線を検出する請求項４４記載の放射線検査装置。
【請求項４６】
入力した前記放射線検出器の前記出力信号から前記Ｘ線検出信号と前記γ線検出信号とを分離し、かつ前記複数の放射線検出器の各々に接続された信号分離装置を備えた請求項３記載の放射線検査装置。
【請求項４７】
前記γ線検出信号より得られた第１情報及び前記Ｘ線検出信号より得られた第２情報を用いて断層像を作成する断層像作成装置を備えた請求項４６に記載の放射線検査装置。